(57)【特許請求の範囲】
【請求項１】
鏡が鏡面を前方に向けて鏡止め具で背板に重合状に取り付けられ、この鏡を囲繞するよう枠材が背板に取り付けられている鏡付きキャビネットであって、上記の鏡止め具が、突起状に形成されると共に、鏡の左右側の枠材に、鏡の鏡面を係止するよう枠材の内側に突き出されて設けられ、この鏡止め具の突き出し端が垂直面状に形成されると共に、鏡止め具が進退動作自在に螺子状に形成されていることを特徴とする鏡付きキャビネット。
【請求項２】
請求項１記載の鏡付きキャビネットであって、鏡止め具が、左右側の枠材に固定される雌螺子部材を備え、この雌螺子部材に螺合して進退動作自在に形成されていることを特徴とする鏡付きキャビネット。
【請求項３】
請求項１又は２記載の鏡付きキャビネットであって、鏡が、背板に両面テープで接着されていることを特徴とする鏡付きキャビネット。
【発明の詳細な説明】
【技術分野】
【０００１】
本発明は、洗面室等の壁に取り付けて使用するキャビネットに関し、更に詳しくは鏡付きキャビネットに関するものである。
【背景技術】
【０００２】
従来この種のキャビネットとしては、例えば特許文献１に記載されているものがある。
この従来品は、鏡が奥板（背板）に接着剤や鏡止め具で鏡面を前方に向けて重合状に取り付けられ、上板、下板、及び左右一対の側板からなる枠材で囲繞されているものである。
【０００３】
而して、特許文献１に記載の従来品は、鏡止め具が断面コの字形に且つ長尺状に形成されて枠材の上側に鴨居状に配置され、この鏡止め具の下向き状の凹溝に鏡の上端を係合させて鏡を取り付ける構造であった。
従って、この従来品によると、鏡と鏡止め具との接触部分が長くなり、また鏡止め具が高い位置にあるため、その付近の清掃がし難い、という問題点があった。
【０００４】
また従来、この種のキャビネットにあっては、鏡の左右端と側板との隙間を均等にして、鏡を左右バランス良く配置して奥板に取り付ける作業を設置現場において行う必要がある。
而して、上記の従来品は、この種の鏡の調整作業を行うための手段を、特に備えていなかった。従って、従来品によると、鏡を、左右の隙間が均等になるよう奥板に取り付ける作業に手間暇がかかるのを避けられなかった。
【先行技術文献】
【特許文献】
【０００５】
【特許文献１】特開２００１−１８６９４３号公報
【発明の概要】
【発明が解決しようとする課題】
【０００６】
本発明は、このような従来品の問題点に鑑み、提案されたものである。
従って本発明の解決しようとする第１の技術的課題は、鏡止め具の箇所の掃除を容易化でき、鏡止め具を小型化しても鏡を保持でき、万が一、接着が剥がれたときでも鏡の倒れを防止できるよう形成した鏡付きキャビネットを提供することにある。
また本発明は、鏡の左右端と側板との隙間を左右均等にして、鏡を背板に簡便に取り付けることができるよう形成したキャビネットを、併せて提供することにある。
【課題を解決するための手段】
【０００７】
本発明は、上記の課題を解決するため、次のような技術的手段を採る。
即ち本発明は、図１等に示されるように、鏡１が鏡面を前方に向けて鏡止め具２で背板３に重合状に取り付けられ、この鏡１を囲繞するよう枠材４が背板３に取り付けられている鏡付きキャビネットであって、上記の鏡止め具２が、突起状に形成されると共に、鏡１の左右側の枠材４に、鏡１の鏡面を係止するよう枠材４の内側に突き出されて設けられ、この鏡止め具２の突き出し端２ａが垂直面状に形成されると共に、鏡止め具２が進退動作自在に螺子状に形成されていることを特徴とする（請求項１）。
【０００８】
本発明の場合、枠材４は、鏡１の四方を囲繞するよう、通常、方形に形成されるが、その形状や構造は任意である。即ち、本発明は、例えば上方（上面）が開口されて正面視で上向きのコの字形に形成されたり、また孔やスリット等の空間部を有して形成されているのでも良い。
【０００９】
なお、鏡止め具２としては、例えば六角孔付きボルトや平頭ネジ等がある。この場合、鏡止め具２は、その全長で鏡１と線接触、面接触して鏡１を安定的に受け止めることができるよう、根元から突き出し端２ａまで同じ径に形成されているのでも良い。
【００１０】
また本発明は、鏡止め具２が、左右側の枠材４に固定される雌螺子部材２ｃを備え、この雌螺子部材２ｃに螺合して進退動作自在に形成されているのでも良い（請求項２）。
なぜならこれによると、鏡止め具２を枠材４に、直接、螺合する場合より、緩み等の発生を防止できるからである。またこれによると、例えば基準位置から何回転すると左右が等しい長さになる、という具合に雌螺子部材２ｃによって基準位置を決定し易くなるからである。
なお、ここで、雌螺子部材２ｃとしては、例えばナットがある。
【００１１】
また本発明は、鏡１が、背板３に両面テープ６で接着されているのが好ましい（請求項３）。
なぜならこれによると、接着剤による場合の塗りムラの発生を防止でき、鏡１を品質良く、また鏡止め具２と相俟って堅固に固定できるからである。
【発明の効果】
【００１２】
本発明は、このように鏡止め具が、突起状に形成されると共に、鏡の左右側の枠材に、鏡の鏡面を係止するよう枠材の内側に突き出されて設けられているものである。
従って本発明によれば、鏡と鏡止め具との接触箇所が小さくなり、その分、掃除を容易化できる。
また本発明は、清掃時に鏡止め具を一時的に取り外して掃除することもできる。
更に、これによると、鏡止め具の突き出し端を鏡の側端に当てがって、鏡止め具を回すことにより、鏡を鏡止め具と一緒に移動させることができ、鏡の左右の隙間（図４参照）の微調整を鏡止め具によって簡便にできる。
【図面の簡単な説明】
【００１３】
【図１】本発明キャビネットの好適な一実施形態を示し、Ａは正面図、ＢはＡのＢ−Ｂ線における要部拡大断面図である。
【図２】同上キャビネットの取付時の斜視図である。
【図３】同上キャビネットの取付時の要部斜視図である。
【図４】同上キャビネットの取付作業を説明するための要部横断面図である。
【図５】図１のＶ−Ｖ線における断面図である。
【図６】他の実施形態を示す縦断面図である。
【発明を実施するための形態】
【００１４】
以下、本発明を実施するための好適な一実施形態を、添付図面に従って説明する。
本発明のキャビネットは、図１等に示されるように、例えば方形の鏡１が鏡面を前方に向けて鏡止め具２で背板３（同図Ｂ参照）に重合状に取り付けられている。そして本発明は、鏡１を囲繞するよう、枠材４が背板３に取り付けられ、この実施形態では前面が開口状に形成されている。なお、この実施形態の場合、枠材４は、鏡１の四方を囲繞するよう、上板４ａ、下板４ｂ、及び左右一対の側板４ｃとで方形に形成されている。
【００１５】
そして本発明の場合、上記の鏡止め具２は、突起状に形成されている。この鏡止め具２は、この実施形態では鏡１の左右側の枠材４としての側板４ｃに、鏡１の鏡面を係止するよう、枠材４の内側に突き出されて設けられている。また本発明の場合、鏡止め具２は、その突き出し端２ａ（図１Ｂ、図２等参照）が垂直面状に形成されると共に、回転工具５（図４参照）としてのドライバーの先端と係合する溝２ｂを有して螺子状に形成されている。
【００１６】
この実施形態の場合、鏡止め具２は、具体的には、溝２ｂが十字状に形成された平頭ネジである。また鏡止め具２は、側板４ｃに固定される雌螺子部材２ｃを備え、この雌螺子部材２ｃに螺合して進退動作自在に形成されている。雌螺子部材２ｃは、この実施形態では枠材４の内側に先端部を少し露出させ、側板４ｃに埋設されている。
【００１７】
また本発明は、図１等に示されるように、鏡１を、鏡止め具２と相俟って堅固に固定できるよう、鏡１が背板３に両面テープ６で接着されている。両面テープ６は、等間隔をあけて、この実施形態では縦向きに３本配置されている。
また本発明品は、壁７にネジ８（図１、図２等参照）で堅固に止め付けることができるよう形成されている。
【００１８】
次に本発明品の施工の一例を説明する。
先ず作業者は、背板３と枠材４からなる本発明品の本体部分をネジ８で壁７に取り付け、次に鏡１を背板３に両面テープ６で貼り付ける。この際、作業者は鏡１の左右端と、枠材４との隙間Ｓ（図４参照）が左右で均等になるよう、鏡止め具２を使用して鏡１を微調整して行う。
【００１９】
具体的には、図４に示されるように、鏡止め具２の突き出し端２ａを、鏡１の側端にあてがい、回転工具５としてのドライバーの先端を鏡止め具２の溝２ｂに係合させ、回転工具５で左右の鏡止め具２を回し、鏡止め具２と一緒に鏡１を、同図上で左右方向に進退させて微調整する。
【００２０】
そして作業者は、上記の隙間Ｓが均等になった処で、鏡１を背板３に押し付ける。この場合、両面テープ６は、予め背板３に貼り付けておき、前側の剥離紙を剥がしておく。従って作業者が、鏡１を背板３に押し付けると、鏡１が両面テープ６で背板３に貼り付けられる。
なお、このとき、鏡１は、鏡面が鏡止め具２と接触することがないよう、奥に配置される。
【００２１】
その後、作業者は、回転工具５を回して鏡止め具２を前進させる。これにより、鏡止め具２の突き出し端２ａが、図１Ｂ、図２に示されるように、鏡１の前側に配置され、鏡を係止可能になる。
【００２２】
本発明品は、このように形成されているから、突起状の鏡止め具２で鏡１を保持でき、万が一、両面テープ６の粘着力が低下しても、鏡止め具２で鏡１の倒れや脱落を防止できる。また本発明は、鏡止め具２を、鏡１の取付時の治具として使用でき、また鏡１の左右の隙間を均等にする際に使用できる。従って本発明によると、鏡１の取付作業を容易化でき、仕上り状態が良くなり、施工品質を向上できる。
【００２３】
以上の処において、鏡止め具２は、鏡１の左右の位置で高さを違えて設けられているのでも良い。また鏡止め具２は、図６に示されるように、鏡１の左右の上下位置に設けられているのでも良い。この場合は、一層、鏡１の倒れや脱落を確実に防止できる。
【００２４】
また本発明は、鏡止め具２をローレット螺子（頭にローレット目が付けられた螺子）の状態に形成し、手で直接操作して進退動作可能に形成するのでも良い。
また本発明は、設置後に、鏡止め具２の突き出し端２ａに、例えば円筒状のカバーを被せるのでも良い。この場合は、キャビネットの意匠性を高めることができる。
【符号の説明】
【００２５】
１      鏡
２      鏡止め具
２ａ 突き出し端
３      背板
４      枠材
【図１】
0005577690.tif 000002
【図２】
0005577690.tif 000003
【図３】
0005577690.tif 000004
【図４】
0005577690.tif 000005
【図５】
0005577690.tif 000006
【図６】
0005577690.tif 000007